(57)【要約】【課題】良好な操作性が得られる入力装置を提供する。【解決手段】入力装置３Ａは、タッチ面７１Ａを有するサーフェイス部材７と、サーフェイス部材７を移動可能に挟持する第１筐体及び第２筐体と、タッチ面７１Ａ上の押圧された位置を検出する位置検出手段と、サーフェイス部材７を第１筐体側に付勢しながらタッチ面７１Ａへの押圧に伴いサーフェイス部材７を平行移動または傾斜移動させる付勢部材１０と、サーフェイス部材７の平行移動または傾斜移動による移動量が一定量以上となったか否かを検出する移動検出手段９とを備える。押圧された際にサーフェイス部材７が平行移動するタッチ面７１Ａ上の平行移動位置Ｐは、中心Ｏを通る仮想線ＶＬにてタッチ面７１Ａを第１，第２領域ＡｒＵ，ＡｒＤに分割した場合に、中心Ｏからずれた第１領域ＡｒＵ内に位置付けられている。【選択図】図６
2012164037.tif 000002
【特許請求の範囲】
【請求項１】
タッチ面を有するサーフェイス部材と、
前記タッチ面を外部に露出させる第１開口部を有する第１筐体と、
前記第１筐体との間で前記サーフェイス部材を移動可能に挟持する第２筐体と、
前記タッチ面上の押圧された位置を検出する位置検出手段と、
前記サーフェイス部材及び前記第２筐体の間に配設され、前記サーフェイス部材を前記第１筐体側に付勢しながら、前記タッチ面への押圧に伴い、前記サーフェイス部材を平行移動または傾斜移動させる付勢部材と、
前記サーフェイス部材の平行移動または傾斜移動による移動量が一定量以上となったか否かを検出する移動検出手段とを備え、
前記タッチ面上の各位置のうち、押圧された際に前記サーフェイス部材が平行移動する平行移動位置は、
前記タッチ面の中心を通る仮想線にて前記タッチ面を第１領域及び第２領域に分割した場合に、前記タッチ面の中心からずれた前記第１領域内または前記第２領域内に位置付けられている
ことを特徴とする入力装置。
【請求項２】
請求項１に記載の入力装置において、
前記移動検出手段は、
前記サーフェイス部材及び前記第２筐体間で押下される押下スイッチで構成され、前記タッチ面の中心に対向する位置に配設されている
ことを特徴とする入力装置。
【請求項３】
請求項２に記載の入力装置において、
前記移動検出手段は、
前記サーフェイス部材とともに平行移動または傾斜移動し、
前記第２筐体には、
前記第１筐体側に突出し、前記サーフェイス部材の平行移動または傾斜移動時に前記移動検出手段を押下する押付部が設けられている
ことを特徴とする入力装置。
【請求項４】
請求項１から請求項３のいずれかに記載の入力装置と、
複数の操作ボタンを有する第２の入力装置とを備え、
前記第１筐体には、
前記複数の操作ボタンを外部に露出させる第２開口部が形成され、
前記第２領域は、
前記第１領域に対して、前記第２開口部側に位置し、
前記平行移動位置は、
前記第１領域内に位置付けられている
ことを特徴とする電子機器。
【発明の詳細な説明】
【技術分野】
【０００１】
本発明は、タッチ面が押圧されることで情報の入力を受け付ける入力装置、及び電子機器に関する。
【背景技術】
【０００２】
従来、ケースに形成された開口部を介してタッチ面が外部に露出し、タッチ面上で利用者により押圧（操作）された位置を検出するタッチパネルを有する入力装置（画面入力装置）が知られている（例えば、特許文献１参照）。
この入力装置は、利用者の押圧によるタッチパネルの移動によって押下される複数のラバースイッチを備え、当該ラバースイッチが作動することで利用者に節度感を与える構成とされている。
そして、タッチパネルは、利用者によりタッチ面が押圧されることで、複数のラバースイッチの付勢力に抗して、平行移動（タッチ面が初期位置に対して平行となるように移動）または傾斜移動（タッチ面が初期位置に対して傾斜するように移動）可能に構成されている。
【先行技術文献】
【特許文献】
【０００３】
【特許文献１】特開２００３−２７１３０７号公報（図１３）
【発明の概要】
【発明が解決しようとする課題】
【０００４】
ところで、タッチ面上の各位置のうち、押圧された際にタッチパネルが平行移動する平行移動位置は、例えば上記複数のラバースイッチをタッチ面の中心に対称となる位置に配設することで、タッチ面の中心に設定されることが一般的である。
そして、例えばタッチ面の中心を通る仮想線にてタッチ面を第１領域及び第２領域に分割し、平行移動位置を除く第１領域または第２領域を押圧すると、平行移動位置以外の位置が押圧されることとなるため、タッチパネルは、傾斜移動することとなる。
また、上記複数のラバースイッチがタッチ面の中心に対称となる位置に配設されているため、タッチパネルを傾斜移動させる（ラバースイッチを押下する）ために必要な押圧力（タッチ面への押圧力）は、第１領域を押圧した場合と、第２領域を押圧した場合とで略同様の押圧力となる。
【０００５】
そして、画素の位置がタッチ面上の各位置（座標）に対応した画像を確認しながら利用者に入力装置を操作させる構成を採用した場合には、以下に示すように、良好な操作性が得られない、という問題がある。
当該画像としては、利用者の操作の用に供される領域と、操作の用に供されない領域とが存在するものである。
すなわち、上述したようにタッチパネル上の第１，第２領域でタッチパネルを傾斜移動させるために必要な押圧力が略同様のものとなるため、利用者の操作の用に供される画像を操作する際の押圧力は、操作の用に供されない領域の画像を操作する際の押圧力と略同様の押圧力となる。
したがって、不要に大きい押圧力で利用者に入力装置を操作させる必要があり、良好な操作性が得られない。
【０００６】
本発明の目的は、良好な操作性が得られる入力装置、及び電子機器を提供することにある。
【課題を解決するための手段】
【０００７】
本発明の入力装置は、タッチ面を有するサーフェイス部材と、前記タッチ面を外部に露出させる第１開口部を有する第１筐体と、前記第１筐体との間で前記サーフェイス部材を移動可能に挟持する第２筐体と、前記タッチ面上の押圧された位置を検出する位置検出手段と、前記サーフェイス部材及び前記第２筐体の間に配設され、前記サーフェイス部材を前記第１筐体側に付勢しながら、前記タッチ面への押圧に伴い、前記サーフェイス部材を平行移動、または傾斜移動させる付勢部材と、前記サーフェイス部材の平行移動または傾斜移動による移動量が一定量以上となったか否かを検出する移動検出手段とを備え、前記押下スイッチは、前記タッチ面の中心に対向する位置に配設され、前記タッチ面上の各位置のうち、押圧された際に前記サーフェイス部材が平行移動する平行移動位置は、前記タッチ面の中心を通る仮想線にて前記タッチ面を第１領域及び第２領域に分割した場合に、前記タッチ面の中心からずれた前記第１領域内または前記第２領域内に位置付けられていることを特徴とする。
【０００８】
ここで、サーフェイス部材の平行移動とは、タッチ面が初期位置に対して平行となるようにサーフェイス部材が移動することを意味するものである。
また、サーフェイス部材の傾斜移動とは、タッチ面が初期位置に対して傾斜するようにサーフェイス部材が移動することを意味するものである。
【０００９】
本発明では、入力装置が上述した付勢部材を備えるので、タッチ面への押圧に伴い、サーフェイス部材を平行移動または傾斜移動させるとともに、タッチ面への押圧が解除されることでサーフェイス部材を初期位置に復帰させることができる。
また、タッチ面上において、平行移動位置が上述した位置に位置付けられているため、サーフェイス部材を平行移動または傾斜移動させるために必要な押圧力（タッチ面への押圧力）は、タッチ面上の各位置で異なるものとなる。
例えば、付勢部材が複数設けられていた場合、平行移動位置では、サーフェイス部材が平行移動し、各付勢部材を同様に変形させる必要があるため、タッチ面上で最も大きい押圧力を必要とする。
一方、平行移動位置以外では、サーフェイス部材が傾斜移動し、各付勢部材を同様に変形させる必要がなく、押圧される側に配設される付勢部材を変形させるだけでよいため、平行移動位置での押圧力に比較して小さい押圧力で足りるものとなる。
【００１０】
また、第１，第２領域内の各位置での押圧力を比較した場合、平行移動位置が位置付けられていない領域内の各位置での押圧力は、平行移動位置が位置付けられている領域内の各位置での押圧力に比較して小さいものとなる。
したがって、画素の位置がタッチ面上の各位置（座標）に対応した画像を確認しながら利用者に入力装置を操作させる構成を採用した場合、以下の効果を享受できる。
なお、以下では、説明の便宜上、平行移動位置が第１，第２領域内のうち、第１領域内に位置付けられているものとして説明する。
すなわち、当該画像として、第２領域に対応させて利用者の操作の用に供される画像を配置し、第１領域に対応させて利用者の操作の用に供されない画像を配置すれば、第２領域内の各位置での押圧力は比較的に小さいものとなるので、小さい押圧力で利用者に入力装置を操作させることができる。
したがって、良好な操作性が得られる入力装置を構成できる。
【００１１】
本発明の入力装置では、前記移動検出手段は、前記サーフェイス部材及び前記第２筐体間で押下される押下スイッチで構成され、前記タッチ面の中心に対向する位置に配設されていることが好ましい。
本発明では、入力装置がタッチ面の中心に対向する位置に配設される上述した押下スイッチを備えるので、タッチ面上を押圧する位置によって、押下スイッチを押下するために必要とする操作量（タッチ面上を押圧する各位置でのサーフェイス部材の平行移動または傾斜移動する変位量）が大きく異なることがない。したがって、さらに良好な操作性が得られる入力装置を構成できる。
【００１２】
本発明の入力装置では、前記移動検出手段は、前記サーフェイス部材とともに平行移動または傾斜移動し、前記第２筐体には、前記第１筐体側に突出し、前記サーフェイス部材の平行移動または傾斜移動時に前記移動検出手段を押下する押付部が設けられていることが好ましい。
本発明では、移動検出手段（押下スイッチ）がサーフェイス部材側に取り付けられ、第２筐体に上述した押付部が設けられているので、サーフェイス部材の移動時に押下スイッチが押付部に当接し、当該押付部を支点として、サーフェイス部材を良好に傾斜移動させることができる。
【００１３】
本発明の電子機器は、上述した入力装置と、複数の操作ボタンを有する第２の入力装置とを備え、前記第１筐体には、前記複数の操作ボタンを外部に露出させる第２開口部が形成され、前記第２領域は、前記第１領域に対して、前記第２開口部側に位置し、前記平行移動位置は、前記第１領域内に位置付けられていることを特徴とする。
本発明では、電子機器は、上述した入力装置を備えるので、上述した入力装置と同様の作用及び効果を享受できる。
また、平行移動位置は、第１領域及び第２領域のうち、複数の操作ボタンを外部に露出させる第２開口部から離間する側に位置する第１領域内に位置付けられている。
このことにより、入力装置を操作させる際に利用者に確認させる画像を上述したように構成すれば、押圧力が小さいものとなる第２領域と複数の操作ボタンとを近接して配置できる。このため、押圧力が小さいものとなる第２領域と複数の操作ボタンとが離間して配置された構成（平行移動位置が第２領域内に位置付けられた構成）と比較して、良好な操作性が得られる電子機器を構成できる。
【図面の簡単な説明】
【００１４】
【図１】本実施形態における虚像表示システムを示す斜視図。
【図２】本実施形態におけるタッチパッドの構成を示す分解斜視図。
【図３】本実施形態におけるサーフェイスシートの一部を拡大した斜視図。
【図４】本実施形態におけるタクトスイッチの配設位置を示す図。
【図５】本実施形態におけるタッチパッドの支持構造を模式的に示す断面図。
【図６】本実施形態における平行移動位置を説明するための図。
【図７】本実施形態における平行移動位置を説明するための図。
【発明を実施するための形態】
【００１５】
以下、本発明の実施の一形態を図面に基づいて説明する。
〔１．虚像表示システムの構成〕
図１は、虚像表示システム１を示す斜視図である。
虚像表示システム１は、図１に示すように、虚像表示装置２と、電子機器としてのコントローラー３とを備え、コントローラー３による制御の下、虚像表示装置２を動作させ、観察者に対して虚像による画像光を認識させる。
【００１６】
〔２．虚像表示装置の構成〕
虚像表示装置２は、図１に示すように、眼鏡のような外観を有するヘッドマウントディスプレイで構成され、ハーネスＨを介してコントローラー３に接続されている。
そして、虚像表示装置２は、ハーネスＨを介してコントローラー３から入力した画像信号に基づく画像光を形成し、形成した画像光を虚像として観察者に観察させる。
この虚像表示装置２は、図１に示すように、画像形成装置２Ａと、導光板２Ｂと、リム２Ｃと、画像形成装置２Ａに接続するテンプル２Ｄとを備える。
なお、画像形成装置２Ａ、導光板２Ｂ、及びテンプル２Ｄは、図１に示すように、左右対称となるように、それぞれ一対設けられている。
【００１７】
画像形成装置２Ａは、具体的な図示は省略したが、カバー２Ｅ内部に、画像光を形成するＬＣＤ（Liquid Crystal Display）等の表示素子、ハーネスＨを介してコントローラー３と接続し、コントローラー３からの画像信号に基づいて表示素子を駆動させる駆動回路、表示素子にて形成された画像光を平行光として投射する投射レンズ等を有する。
一対の導光板２Ｂは、図１に示すように、虚像表示装置２を装着する観察者の左目及び右目にそれぞれ対応するようにリム２Ｃに取り付けられる。
この導光板２Ｂは、画像形成装置２Ａ（投射レンズ）から投射された画像光を内部に取り込み、取り込んだ画像光を全反射により他方の導光板２Ｂに近接する側に画像光を導く。そして、導光板２Ｂは、他方の導光板２Ｂに近接する側に導いた画像光を、虚像表示装置２を装着した観察者の左目または右目に導く。
【００１８】
〔３．コントローラーの構成〕
コントローラー３は、図１に示すように、外装筐体４と、外装筐体４外部に露出する複数の操作ボタン５及びタッチパッド６と、操作ボタン５及びタッチパッド６からの信号に基づいて、画像信号を虚像表示装置２に出力させる制御装置（図示略）等を備える。
外装筐体４は、図１に示すように、フロントケース４１及びリアケース４２を組み合わせることで構成され、全体略直方体形状を有する。
フロントケース４１には、複数の操作ボタン５を外部にそれぞれ露出させる第２開口部としての複数のボタン用開口部４１１と、タッチパッド６のタッチ面７１Ａを外部に露出させる第１開口部としての矩形状のパッド用開口部４１２とが形成されている。
なお、フロントケース４１における裏面（パッド用開口部４１２の周縁）の構造については、後述するタッチパッド６の支持構造において、詳細に説明する。
【００１９】
複数の操作ボタン５は、虚像表示装置２を装着した観察者により押下されるボタンであり、例えば、虚像表示装置２の表示素子に形成させる画像（画像光）の輝度を調整するための操作ボタン、メニュー画面やキーボードを模したキーボード画面ＦＧ（図７参照）等を表示させるための操作ボタン等を備える。そして、操作ボタン５の押下に伴い、外装筐体４内部に配設された回路基板（図示略）上のタクトスイッチ（図示略）が押下され、押下に応じた信号が前記回路基板から前記制御装置に出力される。
なお、複数の操作ボタン５、前記タクトスイッチ、及び前記回路基板が本発明に係る第２の入力装置３Ｂ（図１）に相当する。
【００２０】
〔４．タッチパッドの構成〕
図２は、タッチパッド６の構成を示す分解斜視図である。
タッチパッド６は、虚像表示装置２を装着した観察者によりタッチ面７１Ａが押圧された際に、タッチ面７１Ａ上の当該押圧された位置に関する信号を前記制御装置に出力する。
また、タッチパッド６は、具体的には後述するが、フロントケース４１及び挟持部材１１の間で、当該押圧される方向に沿って移動可能に維持される。
そして、タッチパッド６は、押圧による後述するサーフェイスシート７（後述する静電容量シート８を含む）の移動量が一定量に達した場合に、一定量に達した旨を示す信号を前記制御装置に出力する。
このタッチパッド６は、図２に示すように、サーフェイス部材としてのサーフェイスシート７と、位置検出手段としての静電容量シート８と、検出スイッチとしてのタクトスイッチ９（図４参照）とを備える。
【００２１】
〔4-1．サーフェイスシートの構成〕
図３は、サーフェイスシート７の一部を拡大した斜視図である。
サーフェイスシート７は、ＡＢＳ樹脂等の絶縁性材料から構成されたものであり、図１または図２に示すように、タッチ面７１Ａがパッド用開口部４１２を介して外部に露出し、観察者により操作される部分である。
このサーフェイスシート７は、図２または図３に示すように、タッチ面７１Ａを有する本体７１と、突起部７２と、張出部７３とを備え、各部材７１〜７３が一体形成されたものである。
【００２２】
本体７１は、図２に示すように、矩形状の板体で構成されており、フロントケース４１側の板面が観察者により押圧されるタッチ面７１Ａとして機能する。
なお、本体７１におけるタッチ面７１Ａ側の外縁角部分は、図２または図３に示すように、面取りされている。
また、本体７１には、リアケース４２側の板面の外縁から垂下する矩形枠状の垂設部７１Ｂが形成されている（図３、図５参照）。
なお、以下では、説明の便宜上、タッチ面７１Ａの法線方向から見た本体７１の４つの辺縁のうち、互いに対向し、複数の操作ボタン５の配設位置に対して近接隔離する方向Ｄ（他の左縁７Ｌまたは右縁７Ｒに沿う方向Ｄ）に交差する一対の辺縁を、上縁７Ｕ（操作ボタン５から離間する側に位置する辺縁）及び下縁７Ｄ（操作ボタン５に近接する側に位置する辺縁）とする（図２、図３）。
【００２３】
突起部７２は、図２に示すように、本体７１における外縁の四隅部分にそれぞれ設けられている。
具体的に、突起部７２は、図２に示すように、タッチ面７１Ａの法線方向から見て、本体７１における上縁７Ｕ及び下縁７Ｄの各両端部分にそれぞれ設けられている。
なお、４つの突起部７２は、同一の形状を有するものである。
そして、突起部７２は、図２または図３に示すように、第１突出部７２１及び第２突出部７２２が一体形成されたものであり、略Ｌ字形状を有する。
第１突出部７２１は、垂設部７１Ｂの先端部分から方向Ｄに沿って突出する。
【００２４】
すなわち、第１突出部７２１は、図３に示すように、タッチ面７１Ａに対して挟持部材１１側に位置するように本体７１外縁に接続されている。
そして、第１突出部７２１は、コントローラー３内部にタッチパッド６が組み込まれた状態で、タッチ面７１Ａの法線方向から見て、先端側がフロントケース４１にて隠れるように配設される（図５参照）。
また、第１突出部７２１において、フロントケース４１側の端面７２１Ａは、図３に示すように、タッチ面７１Ａに平行となる平坦状に形成されている。
【００２５】
第２突出部７２２は、図２または図３に示すように、第１突出部７２１の先端に設けられている。
そして、第２突出部７２２は、フロントケース４１側に突出することで、図３に示すように、先端部分７２２Ａが第１突出部７２１の端面７２１Ａよりもフロントケース４１側でタッチ面７１Ａの平面位置よりも第１突出部７２１側に位置するように形成されている。
また、第２突出部７２２は、角部分が面取りされることで、タッチ面７１Ａの法線方向から見て半円形状を有するとともに（図３）、タッチ面７１Ａに沿う方向から見た先端部分７２２Ａの断面が略１／４円形状を有するように形成されている（図５参照）。
【００２６】
張出部７３は、図２または図３に示すように、第１突出部７２１と同様に垂設部７１Ｂの先端部分からタッチ面７１Ａに対して平行に突出するとともに、本体７１外縁を囲むように形成され、４つの突起部７２における各第１突出部７２１に接続する。
なお、張出部７３は、断面形状が第１突出部７２１の断面形状と同一に設定され、図３に示すように、フロントケース４１側の端面７３１が第１突出部７２１の端面７２１Ａと面一となるように形成されている。
すなわち、第２突出部７２２の先端部分７２２Ａは、張出部７３に対してフロントケース４１側に位置する。
また、張出部７３は、第１突出部７２１と同様に、コントローラー３内部にタッチパッド６が組み込まれた状態で、タッチ面７１Ａの法線方向から見て、先端側がフロントケース４１にて隠れるように配設される。
【００２７】
〔4-2．静電容量シートの構成〕
静電容量シート８は、具体的な図示は省略したが、電極層と、制御ＩＣ（Integrated Circuit）を搭載する基板層から構成され、サーフェイスシート７の本体７１裏面（タッチ面７１Ａの反対側の面）に貼り付けられている（図５参照）。
この静電容量シート８は、観察者にてタッチ面７１Ａが押圧された際に、本体７１を介して観察者の指との間でコンデンサーを形成し、当該コンデンサーがタッチ面７１Ａ上のどの位置に存在するか（タッチ面７１Ａ上のどの位置が押圧されたか）を微弱な静電容量の変化として検出する。
そして、静電容量シート８（制御ＩＣ）は、タッチ面７１Ａ上の押圧された位置に関する信号を前記制御装置に出力する。
前記制御装置は、上記信号を入力することで、タッチ面７１Ａ上の押圧された位置（座標）を認識し、虚像表示装置２の前記表示素子に形成させる画像中の対応する画素位置にマウスポインターを重畳させる。
【００２８】
〔4-3．タクトスイッチの構成〕
図４は、タクトスイッチ９の配設位置を示す図である。具体的に、図４は、静電容量シート８の裏面（タッチ面７１Ａから離間する側の面）を示す図である。
タクトスイッチ９は、図４に示すように、静電容量シート８の裏面において、タッチ面７１Ａの中心Ｏ（図６参照）に対向する位置に設けられている。
そして、タクトスイッチ９は、観察者によるタッチ面７１Ａへの押圧によりサーフェイスシート７の移動量が一定量以上となった場合に、後述する挟持部材１１の押付部１１１に押し付けられてＯＮ状態となり、一定量に達した旨を示す信号を前記制御装置に出力する。
【００２９】
なお、タクトスイッチ９は、内部にバネが配設されており、当該バネによる弾性力によって、静電容量シート８及び挟持部材１１（押付部１１１）の間で、サーフェイスシート７をフロントケース４１側に付勢する。
また、タクトスイッチ９は、ＯＮ状態となる際に、微小な振動を生じ、観察者にクリック感を与えるものである。
【００３０】
例えば、観察者は、虚像表示装置２の前記表示素子にキーボード画面ＦＧ（図７参照）が表示されている状態で、タッチ面７１Ａ上を指で押圧すると、キーボード画面ＦＧにおいて、上述したように、タッチ面７１Ａ上の押圧された位置に対応する画素位置にマウスポインターが表示される。
また、観察者は、タッチ面７１Ａ上を指で押圧しながら、当該押圧する位置を変更する（タッチ面７１Ａ上で指を動かす）ことで、指の動きに合わせてマウスポインターの位置が変更される。
【００３１】
さらに、観察者は、キーボード画面ＦＧにおいて、マウスポインターの位置をキー入力したいキーＫｙ（図７参照）の位置に合わせた状態で、さらにタッチ面７１Ａを押圧すると、タクトスイッチ９がＯＮ状態となり、タクトスイッチ９から前記制御装置に信号（サーフェイスシート７の移動量が一定量に達した旨の信号）が出力される。
そして、前記制御装置は、上記信号の入力により、観察者によるキー入力を受け付け、受け付けたキーＫｙに応じた文字をキーボード画面ＦＧ中の文字表示領域ＡｒＬ（図７参照）に表示させる。
【００３２】
〔５．タッチパッドの支持構造〕
図５は、タッチパッド６の支持構造を模式的に示す断面図である。具体的に、図５は、４つの突起部７２のうち、対角位置に配設される２つの突起部７２を通る平面にてタッチパッド６を切断した断面図である。
上述したタッチパッド６は、図５に示すように、フロントケース４１、付勢部材１０、及び挟持部材１１により、観察者によるタッチ面７１Ａへの押圧方向に沿って移動可能に支持される。
【００３３】
フロントケース４１の裏面において、パッド用開口部４１２の周縁部分には、図５に示すように、当該裏面から厚み方向に窪む凹部４１３が形成されている。
凹部４１３は、パッド用開口部４１２に連通し、タッチ面７１Ａの法線方向から見て、４つの第２突出部７２２を囲む矩形枠状に形成されている。
そして、サーフェイスシート７は、フロントケース４１の裏面側から、４つの第２突出部７２２を凹部４１３の四隅角部分に合わせるように組み込むことで、フロントケース４１に対して位置決めされる。
【００３４】
付勢部材１０は、シリコーンゴム等の弾性部材で構成され、図４に示すように、静電容量シート８の裏面において、四隅位置にそれぞれ取り付けられている。
なお、４つの付勢部材１０は、図４に示すように、同一の形状を有するものである。
これら付勢部材１０は、図４に示すように、静電容量シート８の裏面に取り付けられる円板状の基部１０Ａと、基部１０Ａの中心位置から突出し、挟持部材１１に当接する略円柱状の凸部１０Ｂとを備える。
そして、これら付勢部材１０は、静電容量シート８及び挟持部材１１の間で、サーフェイスシート７をフロントケース４１側に付勢しながら、タッチ面７１Ａへの押圧に伴い、サーフェイスシート７を平行移動または傾斜移動させる。
なお、凸部１０Ｂの先端は、図４または図５に示すように、球面状に形成されている。
【００３５】
挟持部材１１は、図２または図５に示すように、略矩形板状に形成され、フロントケース４１の裏面に固定されることで、フロントケース４１との間でサーフェイスシート７（静電容量シート８を含む）を移動可能に挟持する。
この挟持部材１１において、タクトスイッチ９に対向する位置には、図２または図５に示すように、フロントケース４１側に膨出し、タクトスイッチ９を押下するための押付部１１１が設けられている。
【００３６】
そして、サーフェイスシート７は、上述した支持構造により、図５に示すように、フロントケース４１及び挟持部材１１の間で、タクトスイッチ９及び付勢部材１０による付勢力により、フロントケース４１側に付勢され、第２突出部７２２の先端部分７２２Ａが凹部４１３の底部分に当接した状態（初期位置に位置する状態）となる。
また、この状態では、サーフェイスシート７は、図５に示すように、タッチ面７１Ａがパッド用開口部４１２内部に位置するように配設される。
【００３７】
そして、上述した状態において、観察者によりタクトスイッチ９及び付勢部材１０の付勢力に抗してタッチ面７１Ａが押圧されると、４つの第２突出部７２２が凹部４１３の側壁部分にて案内されながら、サーフェイスシート７が外装筐体４内部に平行移動または傾斜移動することとなる。
また、観察者がタッチ面７１Ａへの押圧を止めた場合には、サーフェイスシート７は、タクトスイッチ９及び付勢部材１０の付勢力により、初期位置に復帰する。
【００３８】
なお、上述したフロントケース４１は、本発明に係る第１筐体に相当する。また、挟持部材１１は、本発明に係る第２筐体に相当する。
また、上述したタッチパッド６、フロントケース４１、挟持部材１１、及び付勢部材１０は、本発明に係る入力装置３Ａ（図２、図５）に相当する。
なお、以下では、第２の入力装置３Ｂと区別するために、入力装置３Ａを第１の入力装置３Ａとして記載する。
【００３９】
〔６．平行移動位置の設定〕
図６及び図７は、平行移動位置Ｐを説明するための図である。具体的に、図６は、タクトスイッチ９及び付勢部材１０の配設位置をタッチ面７１Ａ側から見た図である。図７は、キーボード画面ＦＧの画素位置とタッチ面７１Ａ上の各位置とを比較した図である。
なお、図６では、説明の便宜上、突起部７２及び張出部７３の図示を省略している。
なお、平行移動位置Ｐとは、タッチ面７１Ａ上の各位置のうち、押圧された際にサーフェイスシート７が平行移動する位置を意味するものである。
そして、本実施形態では、平行移動位置Ｐは、図６または図７に示すように、タッチ面７１Ａの中心Ｏからずれた位置となるように設定されている。
【００４０】
なお、以下では、４つの付勢部材１０において、上縁７Ｕ側に位置する２つの付勢部材１０を付勢部材１０Ｕとし、下縁７Ｄ側に位置する２つの付勢部材１０を付勢部材１０Ｄとする（図６）。
本実施形態では、２つの付勢部材１０Ｕとタクトスイッチ９とは略同一の付勢力（弾性力）を有するように設定されている。
これに対して、２つの付勢部材１０Ｄは、付勢部材１０Ｕよりも小さい付勢力（弾性力）を有するように設定されている。
【００４１】
上述したように各付勢部材１０Ｕ，１０Ｄ及びタクトスイッチ９の各付勢力を設定することで、平行移動位置Ｐは、図６または図７に示すように、２つの付勢部材１０Ｕ及びタクトスイッチ９の各配設位置における重心位置Ｃｇとタクトスイッチ９の配設位置との間に位置付けられる。
すなわち、平行移動位置Ｐは、図６または図７に示すように、タッチ面７１Ａの中心Ｏを通り上縁７Ｕまたは下縁７Ｄに平行となる仮想線ＶＬにてタッチ面７１Ａを仮想的に上縁７Ｕ側の第１領域ＡｒＵ及び下縁７Ｄ側の第２領域ＡｒＤに分割した場合に、中心Ｏからずれた第１領域ＡｒＵ内に位置付けられている。
【００４２】
そして、上述した平行移動位置Ｐが押圧された場合には、サーフェイスシート７は、以下に示すように平行移動することとなる。
すなわち、平行移動位置Ｐへの押圧により各付勢部材１０Ｕ，１０Ｄ及びタクトスイッチ９に加わる各荷重と各付勢部材１０Ｕ，１０Ｄ及びタクトスイッチ９の各付勢力とのバランスが取れるため、サーフェイスシート７は、タッチ面７１Ａが初期位置に対して平行となるように、外装筐体４内部に移動する。
一方、タッチ面７１Ａ上において平行移動位置Ｐ以外の位置が押圧された場合には、上述したバランスが崩れるため、サーフェイスシート７は、タッチ面７１Ａが初期位置での状態に対して傾斜するように、外装筐体４内部に移動（傾斜移動）する。
【００４３】
また、平行移動位置Ｐが上述した位置に位置付けられているため、サーフェイスシート７を外装筐体４内部に移動させる（タクトスイッチ９をＯＮ状態とする）ために必要な押圧力（タッチ面７１Ａへの押圧力）は、タッチ面７１Ａ上の各位置で異なるものとなる。
具体的に、平行移動位置Ｐでは、サーフェイスシート７が平行移動し、各付勢部材１０Ｕ，１０Ｄ及びタクトスイッチ９を同様に変形させる必要があるため、タッチ面７１Ａ上で最も大きい押圧力を必要とする。
一方、平行移動位置Ｐ以外では、サーフェイスシート７が傾斜移動し、各付勢部材１０Ｕ，１０Ｄ及びタクトスイッチ９を同様に変形させる必要がなく、押圧される側に配設される付勢部材１０を変形させるだけでよいため、平行移動位置Ｐでの押圧力に比較して小さい押圧力で足りるものとなる。
【００４４】
また、平行移動位置Ｐ以外の各位置のうち、第２領域ＡｒＤ内の各位置での押圧力は、第２領域ＡｒＤ内に小さい付勢力の各付勢部材１０Ｄが配設されているため、大きい付勢力の各付勢部材１０Ｕが配設された第１領域ＡｒＵ内の各位置での押圧力に比較して、小さい押圧力で足りるものとなる。
そして、本実施形態では、キーボード画面ＦＧには、図７に示すように、比較的に小さい押圧力でサーフェイスシート７を移動させることができる第２領域ＡｒＤに対応させて、観察者による操作の用に供される各キーＫｙが配置されている。
一方、キーボード画面ＦＧには、図７に示すように、サーフェイスシート７を移動させるために比較的に大きい押圧力を必要とする第１領域ＡｒＵに対応させて、観察者による操作の用に供されない文字表示領域ＡｒＬが配置されている。
【００４５】
上述した実施形態によれば、以下に示す効果がある。
本実施形態では、第１の入力装置３Ａが付勢部材１０を備えるので、タッチ面７１Ａへの押圧に伴い、サーフェイスシート７を平行移動または傾斜移動させるとともに、タッチ面７１Ａへの押圧が解除されることでサーフェイスシート７を初期位置に復帰させることができる。
【００４６】
さらに、タッチ面７１Ａ上において、平行移動位置Ｐが第１領域ＡｒＵ内に位置付けられている。また、第１の入力装置３Ａを操作させる際に観察者に確認させる例えばキーボード画面ＦＧとして、第２領域ＡｒＤに対応させて観察者の操作の用に供されるキーＫｙが配置され、第１領域ＡｒＵに対応させて観察者の操作の用に供されない文字表示領域ＡｒＬが配置されている。
このことにより、第２領域ＡｒＤ内の各位置でサーフェイスシート７を移動させる（タクトスイッチ９をＯＮ状態とする）ために必要な押圧力は比較的に小さいものとなるので、小さい押圧力で利用者に第１の入力装置３Ａを操作させることができる。
したがって、さらに良好な操作性が得られる第１の入力装置３Ａを構成できる。
【００４７】
また、第１の入力装置３Ａがタッチ面７１Ａの中心Ｏに対向する位置に配設されるタクトスイッチ９を備えるので、タッチ面７１Ａ上を押圧する位置によって、タクトスイッチ９をＯＮ状態とするために必要とする操作量（タッチ面７１Ａ上を押圧する各位置でのサーフェイスシート７の平行移動または傾斜移動する変位量）が大きく異なることがない。したがって、良好な操作性が得られる第１の入力装置３Ａを構成できる。
【００４８】
さらに、タクトスイッチ９が静電容量シート８の裏面に取り付けられ、挟持部材１１に押付部１１１が設けられているので、サーフェイスシート７の移動時にタクトスイッチ９が押付部１１１に当接し、当該押付部１１１を支点として、サーフェイスシート７を良好に傾斜移動させることができる。
【００４９】
また、平行移動位置Ｐは、複数の操作ボタン５を外部に露出させるボタン用開口部４１１から離間する側に位置する第１領域ＡｒＵ内に位置付けられている。
このことにより、押圧力が小さいものとなる第２領域ＡｒＤと複数の操作ボタン５とを近接して配置できる。このため、押圧力が小さいものとなる第２領域ＡｒＤと複数の操作ボタン５とが離間して配置された構成（平行移動位置Ｐが第２領域ＡｒＤ内に位置付けられた構成）と比較して、良好な操作性が得られるコントローラー３を構成できる。
【００５０】
なお、本発明は前述の実施形態に限定されるものではなく、本発明の目的を達成できる範囲での変形、改良等は本発明に含まれるものである。
前記実施形態では、平行移動位置Ｐは、第１領域ＡｒＵ内に位置付けられていたが、第２領域ＡｒＤ内に位置付けても構わない。
また、前記実施形態では、タッチ面７１Ａを仮想線ＶＬにて上縁７Ｕ側の第１領域ＡｒＵ及び下縁７Ｄ側の第２領域ＡｒＤに仮想的に分割し、第１領域ＡｒＵ内に平行移動位置Ｐを位置付けていたが、これに限らない。
例えば、タッチ面７１Ａを、タッチ面７１Ａの中心Ｏを通り方向Ｄに平行する仮想線にて左縁７Ｌ側及び右縁７Ｒ側の２つの領域に仮想的に分割し、いずれかの領域内に平行移動位置Ｐを位置付けても構わない。
【００５１】
前記実施形態では、平行移動位置Ｐは、各付勢部材１０Ｕ，１０Ｄ及びタクトスイッチ９の付勢力（弾性力）を適宜、設定することで、上述した位置に位置付けていたが、これに限らない。
例えば、付勢部材１０を全て同一の付勢力で構成し、付勢部材１０の数や配置位置を適宜、設定することで、平行移動位置Ｐをタッチ面７１Ａの中心Ｏからずれた第１領域ＡｒＵ内または第２領域ＡｒＤ内に位置付けても構わない。
【００５２】
前記実施形態では、位置検出手段として静電容量シート８を採用していたが、タッチ面７１Ａ上の押圧された位置を検出する方式としては、静電容量方式に限らず、その他の方式を採用しても構わない。
例えば、発光素子と受光素子を用いてタッチ面７１Ａ上にマトリクス状の光軸を形成し、その光軸の遮断の有無によりタッチ面７１Ａ上の押圧された位置を検出する赤外線方式を採用しても構わない。
また、例えば、透明導電性薄膜付きのシートを対向配置し、タッチ面７１Ａを触れることによりシートが接触した位置を検出する抵抗膜方式を採用しても構わない。
【００５３】
前記実施形態では、移動検出手段としてタクトスイッチ９を採用し、当該タクトスイッチ９をタッチ面７１Ａの中心に対向する位置に設けていたが、これに限らず、サーフェイスシート７の裏面側において、当該サーフェイスシート７の外縁側に複数、設けた構成や、単体の光スイッチまたは複数の光スイッチ等で構成することにより、タッチ面７１Ａへの押圧によりサーフェイスシート７の移動量が一定量以上となったか否かを検出する構成を採用しても構わない。
【００５４】
前記実施形態では、虚像表示装置２に用いられるコントローラー３に第１の入力装置３Ａを搭載した構成を説明したが、これに限らず、例えば、パーソナルコンピューター、テレビ、プロジェクター等の他の電子機器に第１の入力装置３Ａを搭載しても構わない。
なお、パーソナルコンピューターに第１の入力装置３Ａを搭載した場合にも前記実施形態と同様に、平行移動位置Ｐが位置付けられない第２領域ＡｒＤを、パーソナルコンピューターに設けられたキーボードに近接した位置に設けることが好ましい。
前記実施形態では、第１の入力装置３Ａは、虚像表示装置２による画像光を観察者に認識させながら、当該第１の入力装置３Ａを操作させる構成としていたが、これに限らない。例えば、液晶パネル等の表示装置上に第１の入力装置３Ａを配設し、サーフェイスシート７等を介して表示装置に表示された画像を確認させながら第１の入力装置３Ａを操作させる構成を採用しても構わない。
【００５５】
前記実施形態では、第１突出部７２１の端面７２１Ａは、タッチ面７１Ａとの間で段差を有するようにタッチ面７１Ａに対して挟持部材１１側に位置していたが、これに限らず、タッチ面７１Ａと第１突出部７２１の端面７２１Ａとが面一となるように構成（本体７１がパッド用開口部４１２内部に位置しない構成）としても構わない。
前記実施形態では、突起部７２は、本体７１外縁における四隅位置にそれぞれ設けられていたが、その数は、これに限らず、少なくとも３つあればよく、さらに、その形成位置も四隅位置に限らず、その他の位置に設けても構わない。
同様に、付勢部材１０の数や配設位置も前記実施形態で説明した数や配設位置に限らず、その他の数や配設位置で構成しても構わない。
前記実施形態では、第２突出部７２２の移動を案内する凹部４１３がフロントケース４１に形成されていたが、これに限らず、挟持部材１１に第２突出部７２２の移動を案内する構成を設けても構わない。
また、凹部４１３は、タッチ面７１Ａの法線方向から見て枠状に形成されていたが、４つの第２突出部７２２の移動を案内できれば、その数や形状は前記実施形態で説明した数や形状に限らない。
【産業上の利用可能性】
【００５６】
本発明は、タッチ面が押圧されることで情報の入力を受け付ける入力装置に利用できる。
【符号の説明】
【００５７】
３・・・コントローラー（電子機器）、３Ａ・・・入力装置、３Ｂ・・・第２の入力装置、５・・・操作ボタン、７・・・サーフェイス部材、８・・・静電容量シート（位置検出手段）、１０・・・付勢部材、１１・・・挟持部材（第２筐体）、９・・・タクトスイッチ（移動検出手段）、４１・・・フロントケース（第１筐体）、７１Ａ・・・タッチ面、４１１・・・ボタン用開口部（第２開口部）、４１２・・・パッド用開口部（第１開口部）、ＡｒＵ・・・第１領域、ＡｒＤ・・・第２領域、Ｏ・・・タッチ面の中心、Ｐ・・・平行移動位置、ＶＬ・・・仮想線。
【図１】
2012164037.tif 000003
【図２】
2012164037.tif 000004
【図３】
2012164037.tif 000005
【図４】
2012164037.tif 000006
【図５】
2012164037.tif 000007
【図６】
2012164037.tif 000008
【図７】
2012164037.tif 000009